(57)【特許請求の範囲】
【請求項１】
断熱仕切壁により区画形成され、上方に冷蔵室、下方に冷凍室および野菜室を配置し、前記各室の前面開口部に配設されたフロント放熱パイプを備えた冷蔵庫において、前記フロント放熱パイプは、前記冷蔵室の前面開口部の左右辺のどちらか一方の前面開口部近傍の前面開口部のフランジ位置から後方にずらした位置である外箱側壁内面部に配設され、他方には配設されないとともに、前記フロント放熱パイプの上流側に接続され、冷蔵庫の側面壁に配設されるサイド放熱パイプを備え、前記サイド放熱パイプは前記フロント放熱パイプが配設される一方の辺とは異なる他方の辺の側面壁に配設され、かつ前記側面壁の奥行き方向で中央部よりも前方側に配置し、前記フロント放熱パイプの前面開口部からの配設距離は、前記サイド放熱パイプの前面開口部からの配設距離よりも小さいことを特徴とする冷蔵庫。
【請求項２】
前記冷凍室または前記野菜室の前面開口部に備えたフロント放熱パイプは前記冷蔵室の前面開口部に配設したフロント放熱パイプと同じ前面開口部側に配設したことを特徴とする請求項１に記載の冷蔵庫。
【発明の詳細な説明】
【技術分野】
【０００１】
本発明は、冷蔵庫本体開口部の結露防止と放熱による庫内への熱侵入を小さくする冷蔵庫に関する。
【背景技術】
【０００２】
従来、開口部の結露防止と放熱による庫内への熱侵入を小さくする観点から、前面開口部に配設したコンデンサの一部を側面部側に配設することで開口部から遠ざけて、開口部に配設したコンデンサによる庫内への熱侵入を小さくし、冷却効率を向上し省エネを高めた冷蔵庫が求められている。
【０００３】
そこで、具体的なコンデンサの配設技術が開示されている（例えば、特許文献１参照）。
【０００４】
図３は、従来の冷蔵庫の冷却システム配管図である。
【０００５】
図３に示す従来の冷蔵庫１の冷却システムは、圧縮機１９、サイドコンデンサ２０、ドライヤ２２、キャピラリチューブ２３を接続し、フロントコンデンサ２５とサイドコンデンサ２０の溶接部分２４を備え、上部の冷蔵室、下方の野菜室近傍でＬ字状に折り曲げたフロントコンデンサ２５をサイドコンデンサ２０に連結している。
【０００６】
上記構成において、冷蔵室および野菜室近傍に配設されたフロントコンデンサ２５の一部分を外箱側面壁にずらして配設するので、前面開口部より遠ざかり、冷蔵室、野菜室内への熱侵入を小さくでき、また冷蔵室、野菜室の温度もプラス温度域なので、前面開口部に近い側面壁の位置にあり、結露を防止することができる。
【先行技術文献】
【特許文献】
【０００７】
【特許文献１】特開平９−３１０９６１号公報
【発明の概要】
【発明が解決しようとする課題】
【０００８】
ところが近年、さらに冷却システムの効率化を向上し、省エネ化を図る傾向にある。
【０００９】
従来の冷却システム配管仕様は、各室の開口部に配設したフロントコンデンサ２５からの熱侵入により冷蔵庫の冷却効率の低下を生じる。
【００１０】
また、冷蔵室の開口部に配設したフロントコンデンサを側壁面へずらして配置しても、ずらしたフロントコンデンサからの熱侵入があり、より熱侵入の抑制が求められている。
【００１１】
本願発明は、上記従来の課題を解決するもので、フロント放熱パイプから冷蔵庫内への熱侵入を低減し、結露を防止した冷蔵庫の提供を目的とする。
【課題を解決するための手段】
【００１２】
上記従来の課題を解決するために、本願発明の冷蔵庫は、断熱仕切壁により区画形成され、上方に冷蔵室、下方に冷凍室および野菜室を配置し、前記各室の前面開口部に配設されたフロント放熱パイプを備えた冷蔵庫において、前記フロント放熱パイプは、前記冷蔵室の前面開口部の左右辺のどちらか一方に配設され、他方には配設されないものである。
【００１３】
これによって、フロント放熱パイプから冷蔵庫内への熱侵入をさらに低減し、結露を防止した冷蔵庫となる。
【発明の効果】
【００１４】
本発明の冷蔵庫は、フロント放熱パイプからの庫内への熱侵入量の低減を図り、さらに省エネ化を図ることができる。
【図面の簡単な説明】
【００１５】
【図１】本発明の実施の形態１における冷蔵庫の正面図
【図２】本発明の冷蔵庫を示す冷却システム配管図
【図３】従来の冷蔵庫を示す冷却システム配管図
【発明を実施するための形態】
【００１６】
請求項１に記載の発明は、断熱仕切壁により区画形成され、上方に冷蔵室、下方に冷凍室および野菜室を配置し、前記各室の前面開口部に配設されたフロント放熱パイプを備えた冷蔵庫において、前記フロント放熱パイプは、前記冷蔵室の前面開口部の左右辺のどちらか一方の前面開口部近傍の前面開口部のフランジ位置から後方にずらした位置である外箱側壁内面部に配設され、他方には配設されないとともに、前記フロント放熱パイプの上流側に接続され、冷蔵庫の側面壁に配設されるサイド放熱パイプを備え、前記サイド放熱パイプは前記フロント放熱パイプが配設される一方の辺とは異なる他方の辺の側面壁に配設され、かつ前記側面壁の奥行き方向で中央部よりも前方側に配置し、前記フロント放熱パイプの前面開口部からの配設距離は、前記サイド放熱パイプの前面開口部からの配設距
離よりも小さいので、フロント放熱パイプからの庫内への熱侵入量の低減を図り、さらに省エネ化を図ることができる。
【００１７】
また、フロント放熱パイプが配設されない前面開口部の他方側の辺にサイド放熱パイプの熱を側面壁を通じて伝熱させ他方側の結露を防止すると共に、庫内への熱侵入を抑制する。
【００１９】
請求項２に記載の発明は、請求項１に記載の発明に、前記冷凍室または前記野菜室の前面開口部に備えたフロント放熱パイプは前記冷蔵室の前面開口部に配設したフロント放熱パイプと同じ側に配設したものであり、冷蔵室の前面開口部と同じ側にフロント放熱パイプを配設するので、冷蔵庫の組立時にフロント放熱パイプの取付け作業が行ないやすく、パイプ折れを低減し組立てを向上できる。
【００２０】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２１】
（実施の形態１）
図１は、本発明の実施の形態１における冷蔵庫の正面図である。
【００２２】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００２３】
冷蔵庫１００の内の複数に区画された貯蔵室は、その機能（冷却温度）によって冷蔵室１０２、製氷室１０５、庫内の温度が変更できる切換室１０６、野菜室１０３、および冷
凍室１０４等と区別して称されることがある。
【００２４】
冷蔵庫１００の最上部に位置する冷蔵室１０２の前面開口部には、例えばウレタンのような発泡断熱材を発泡充填した回転ヒンジ式の断熱扉（冷蔵室扉）１０７が設けられ、棚状の収納空間となっている。
【００２５】
また、冷蔵室１０２の下方に配置される製氷室１０５、切換室１０６、野菜室１０３、および冷凍室１０４は引出式の収納空間となされている。
【００２６】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００２７】
冷蔵室１０２は、冷蔵保存のために収容物が凍らない程度の低い温度に維持される貯蔵室である。具体的な温度の下限としては、通常１〜５℃で設定されている。
【００２８】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体的な温度の下限としては、２℃〜７℃である。なお、低温にするほど葉野菜の鮮度を長期間維持することが可能である。
【００２９】
冷凍室１０４は、冷凍温度帯に設定される貯蔵室である。具体的には、冷凍保存のために通常−２２〜−１８℃で設定されているが、冷凍保存状態の向上のために、たとえば−３０〜−２５℃の低温で設定されることもある。
【００３０】
製氷室１０５は、内方に製氷機（図示せず）を設け製氷機で氷を作りその氷を保存する貯蔵室である。設定温度は冷凍室１０４とほぼ同等である。
【００３１】
切換室１０６は、冷蔵庫１００に取り付けたれた操作盤により、用途に応じ冷蔵温度帯から冷凍温度帯まで切り換えることができる。
【００３２】
冷蔵庫１００に備えられる貯蔵室のうち引出式の貯蔵室、すなわち野菜室１０３、冷凍室１０４、製氷室１０５そして切換室１０６の前面開口部を閉塞する引出扉２０１が設けられている。
【００３３】
また冷蔵室扉１０７と前面開口部との間には冷蔵室１０２内を略密閉するガスケット１０８が構成されている。
【００３４】
次に図２について説明する。
【００３５】
図２は本発明の冷却システム配管図である。図において、冷蔵室１０２の背面で冷蔵庫１００の天面部に設けた機械室１２０内に圧縮機１２１を配置し、圧縮機１２１の吐出パイプ１２１ａには、冷蔵庫１００の背面壁内に配設されたバック放熱パイプ１２２に接続されている。
【００３６】
バック放熱パイプ１２２は冷蔵庫１００の背面下部まで延び、背面下部に配置し、冷却システムに接続された蒸発器（図示しない）で発生した除霜水を溜める蒸発皿（図示しない）内の除霜水を蒸発促進する蒸発促進パイプ１２３に接続されている。
【００３７】
蒸発促進パイプ１２３には分割して配設されるバック放熱パイプ１２２が接続され、次に冷蔵庫１００の底面壁内に配設したボトム放熱パイプ１４０が接続された後、冷蔵庫１００の側面壁内に配設されたサイド放熱パイプ１２４を接続している。
【００３８】
サイド放熱パイプ１２４は冷蔵庫１００の天面壁内に配設したトップ放熱パイプ１２５を接続することで反対側の側面壁側へ橋渡しされている。その後にフロント放熱パイプ１２６を接続している。
【００３９】
フロント放熱パイプ１２６は他方の側面壁と底面壁とのコーナ部を通って前方の前面開口部まで延在し、最下部の野菜室１０３の左右辺の左側辺のフランジを通り、野菜室１０３の上部に位置する冷凍室１０４との間の仕切壁１２７内にターンして配置され冷凍室１０４の左辺を通って、冷凍室１０４と上部に位置する製氷室１０５および切換室１０６との仕切壁１２７内でターンして前面開口部の左辺に戻り製氷室１０５の左辺を通って上部の冷蔵室１０２と上下に仕切る仕切壁１２７内をターンして配設され、冷蔵室１０２の左側辺のフランジを上方に向かって延在し天面壁内を通って圧縮機１２１が配置する機械室１２０内に導かれる。
【００４０】
フロント放熱パイプ１２６は機械室１２０内にあるドライヤ１２８に接続され、キャピラリチューブ（図示しない）、蒸発器を介して圧縮機１２１に接続される冷却システムを構成している。
【００４１】
また、フロント放熱パイプ１２６は各貯蔵室を上下に仕切る仕切壁１２７内を通り、図２のように冷蔵室１０２、製氷室１０５、冷凍室１０４そして野菜室１０３の左側辺のフランジに配設され、右側辺のフランジには配設されていない。
【００４２】
フロント放熱パイプ１２６は外箱１１２に固定され、パイプと庫内との距離をできるだけ遠ざけるようにしている。
【００４３】
またフロント放熱パイプ１２６の冷蔵室１０２の左側開口部に配設された部分は前面開口部のフランジ位置から後方にずらした位置で、外箱１１２の左側側壁面部に配設している。
【００４４】
またサイド放熱パイプ１２４は外箱１１２の右側側面壁１３０に配設されていて、右側側面壁１３０の奥行き方向の中央部よりも前面開口部側にサイド放熱パイプ１２４の上流側部分が配設され、冷蔵庫１００の高さ方向に冷媒を流しながら後方に向かって下流側の配管が形成されている。
【００４５】
サイド放熱パイプ１２４の上流側部分はフロント放熱パイプ１２６の冷蔵室１０２の左側開口部に配設するように前面開口部のフランジ位置から後方にずらした外箱１１２の左側側壁面部の位置と対向する位置に配置され、ずらしたフロント放熱パイプ１２６の前面開口部からの配設距離は、サイド放熱パイプ１２４の上流側パイプ配管の前面開口部からの配設距離よりも近い位置に配設されている。
【００４６】
次に動作について説明する。
【００４７】
フロント放熱パイプ１２６は各室の前面開口部の左右辺の一側辺に偏って配設するので、フロント放熱パイプ１２６から各室内への熱侵入量の低減を図ることができる。
【００４８】
またフロント放熱パイプ１２６が配設される一側辺（実施例の場合は左側）とは異なる他方側の辺（実施例の場合は右側）にサイド放熱パイプ１２４を配設し、サイド放熱パイ
プ１２４の上流側パイプ配管は、配設される側面壁の奥行き方向で中央部よりも前方側に配設することで、上流側パイプ配管から放熱された熱が外箱１１２の側面壁を伝熱して前面開口部の結露を防止することができ、前面開口部にドライパイプを備えず、サイド放熱パイプ１２４の上流側パイプ配管の放熱作用でドライパイプの役目を行なうので、熱侵入量を低減することができる。
【００４９】
また各室の前面開口部の高さ寸法のうち、最も長い距離を有する冷蔵室１０２の配管位置を前面開口部からずらして外箱の側面壁側に配置することで、フロント放熱パイプ１２６の放熱が冷蔵室１０内へ侵入するのを低減することができる。
【００５０】
また、ずらしたフロント放熱パイプ１２６の配設位置がサイド放熱パイプ１２４の上流側パイプ配管の配設位置よりも前面開口部端面からの距離が小さいので、フロント放熱パイプ１２６よりも圧縮機１２１からの冷媒の流れの上流側に位置するサイド放熱パイプ１２４の放熱による室内への熱侵入を低減するとともに、結露を防止することができ、さらに省エネ化を図った冷蔵庫を提供することができる。
【００５１】
また各室の前面開口部の左右辺のうち、すべて同じ左側辺にフロント放熱パイプ１２６を配設しているので外箱１１２にフロント放熱パイプを組立てる工程での取付け作業が行ないやすく、外箱１１２の曲げ工程でのフロント放熱パイプ１２６の折れや破損を低減することができる。
【００５２】
またフロント放熱パイプ１２６を前面開口部の左側辺に配設し、サイド放熱パイプを右側面壁に配設したが、それぞれ反対側辺に配設してもよく、同様の効果を得ることができる。
【産業上の利用可能性】
【００５３】
以上のように、本願発明にかかる冷蔵庫は、前面開口部からの侵入熱を低減しながら、結露防止を行なうことができるので冷蔵庫や保存庫などにも展開が可能である。
【符号の説明】
【００５４】
１０２  冷蔵室
１０４  冷凍室
１０３  野菜室
１２６  フロント放熱パイプ
１２４  サイド放熱パイプ
【図１】
0005884006.tif 000002
【図２】
0005884006.tif 000003
【図３】
0005884006.tif 000004